(57)【要約】【課題】  メス端子を任意の位置に配置することができ、周辺機器の接続態様を多様化することができる電子機器を提供すること。【解決手段】  表面１１１と表面１１１に開口する凹部１１２とを有する筐体１１０と、筐体１１０の内部に収容された回路基板１５０と、基体１２１と基体１２１に環囲された接点１２２とを有するＵＳＢ端子１２０と、回路基板１５０とＵＳＢ端子１２０との間を電気的に接続するケーブル１６０とを備えるようにコンピュータ１００を構成する。ＵＳＢ端子１２０は、基体１２１が凹部１１２に嵌合する嵌合態様と基体１２１が凹部１１２から離脱する離脱態様とに変位可能に設けられている。【選択図】  図４
2006139976.tif 000002
【特許請求の範囲】
【請求項１】
表面と前記表面に開口する凹部とを有する筐体と、
前記筐体の内部に収容された電子部品と、
基体と前記基体に環囲された接点とを有するメス端子と、
前記電子部品と前記メス端子との間を電気的に接続する接続手段とを備え、
前記メス端子は、前記基体が前記凹部に嵌合する嵌合態様と前記基体が前記凹部から離脱する離脱態様とに変位可能に設けられたことを特徴とする電子機器。
【請求項２】
請求項１に記載の電子機器において、
前記接続手段がケーブルによって構成され、前記ケーブルを前記筐体の内部に格納する格納機構を更に備えることを特徴とする電子機器。
【請求項３】
請求項１又は請求項２に記載の電子機器において、
前記メス端子は、前記嵌合態様に変位したときに、前記接点が一の方向に並列する一の位置と前記接点が他の方向に並列する他の位置とに変向可能に設けられたことを特徴とする電子機器。
【請求項４】
請求項１から請求項３の何れか一項に記載の電子機器において、
前記基体は、前記表面に整合する端面を有することを特徴とする電子機器。
【請求項５】
請求項１から請求項４の何れか一項に記載の電子機器において、
前記基体は、取り付け用の係合部を有することを特徴とする電子機器。
【請求項６】
請求項１から請求項５の何れか一項に記載の電子機器において、
前記基体は、取り付け用の吸着部を有することを特徴とする電子機器。
【発明の詳細な説明】
【技術分野】
【０００１】
本願は、周辺機器のオス端子に対応するメス端子が設けられた電子機器の技術分野に属する。
【背景技術】
【０００２】
従来、この種の電子機器の一例として、箱状に形成された筐体と、筐体に固定されたＵＳＢコネクタ（本願に係るメス端子に相当するもの）とを備えるコンピュータが知られている（例えば、特許文献１参照）。
【特許文献１】特開２００３−３４５４６４号公報（第４頁、第３図）
【発明の開示】
【発明が解決しようとする課題】
【０００３】
しかしながら、上述した従来の電子機器は、メス端子が筐体に固定されているために、一のメス端子と他のメス端子とが隣接する場合に、一のメス端子に接続された周辺機器と他のメス端子に接続された周辺機器とを近接させ、同時に利用することを困難にするという事情があった。
【０００４】
特に、オス端子が機器本体に固定された周辺機器、例えば、ＵＳＢ（Universal Serial Bus）機器は、上述したメス端子に接続された場合に、機器本体が空中に浮いてしまい、支持が不安定になるという事情もあった。
【０００５】
そこで、本願は、上述した事情を鑑みてなされたものであり、その課題の一例として、メス端子を任意の位置に配置することができ、周辺機器の接続態様を多様化することができる電子機器を提供することを目的とする。
【課題を解決するための手段】
【０００６】
上述した課題を解決するために、請求項１に記載の電子機器は、表面と前記表面に開口する凹部とを有する筐体と、前記筐体の内部に収容された電子部品と、基体と前記基体に環囲された接点とを有するメス端子と、前記電子部品と前記メス端子との間を電気的に接続する接続手段とを備え、前記メス端子は、前記基体が前記凹部に嵌合する嵌合態様と前記基体が前記凹部から離脱する離脱態様とに変位可能に設けられたことを特徴とする構成を有している。
【発明を実施するための最良の形態】
【０００７】
以下、本願を実施するための最良の形態について、図面を用いて説明する。なお、以下説明する実施形態は、本願に係る電子機器を、例えば、デスクトップタイプのコンピュータに適用した場合の実施形態を示している。
【０００８】
まず、本実施形態におけるコンピュータの構成について、図１から図５を用いて説明する。なお、図１は、本実施形態におけるコンピュータを示す正面図であり、図２は、本実施形態におけるコンピュータの要部を示す断面図であり、図３は、本実施形態におけるＵＳＢ端子を示す斜視図であり、図４は、本実施形態におけるコンピュータの要部を示す斜視図であり、（ａ）は、嵌合態様のＵＳＢ端子、（ｂ）は、離脱態様のＵＳＢ端子を示し、図５は、本実施形態におけるコンピュータの要部を示す斜視図であり、（ａ）は、一の位置のＵＳＢ端子、（ｂ）は、他の位置のＵＳＢ端子を示し、図６は、本実施形態におけるコンセントを示す斜視図である。
【０００９】
本実施形態におけるコンピュータ１００は、図１に示すように、箱状に形成された筐体１１０と、メス端子の一例としてのＵＳＢ（Universal Serial Bus）端子１２０と、５インチベイに実装されたＣＤ（Compact Disc）ドライブ１３０と、３．５インチベイに実装されたＦＤ（Floppy（登録商標） Disk）ドライブ１４０と、拡張スロットに実装された図示しない拡張カードとを備え、ディスプレイ１０１及びキーボード１０２に接続されている。
【００１０】
また、本実施形態におけるコンピュータ１００は、図２に示すように、電子部品の一例としての回路基板１５０と、接続手段の一例としてのケーブル１６０と、ケーブル１６０を筐体１１０の内部に格納する格納機構１７０とを備え、回路基板１５０及び格納機構１７０は、筐体１１０の内部に収容されている。
【００１１】
筐体１１０は、操作面の一例としての表面１１１と、表面１１１に開口する凹部１１２とを有し、凹部１１２には、ＵＳＢ端子１２０が挿入される大孔１１３と、ケーブル１６０が挿入される小孔１１４とが形成され、大孔１１３及び小孔１１４は、筐体１１０の内部に連通している。
【００１２】
ケーブル１６０は、導電性を有する導電部材と当該導電部材を被覆する被覆部材とによって屈曲可能に構成され、回路基板１５０とＵＳＢ端子１２０との間を電気的に接続するようになっている。
【００１３】
格納機構１７０は、リール状に形成された巻回部材と当該巻回部材を支持する支持部材とによって回転可能に構成され、ケーブル１６０を巻き取るようになっている。
【００１４】
ＵＳＢ端子１２０は、周辺機器のオス端子に対応するメス端子であり、図３に示すように、筐体１１０の凹部１１２に対して嵌合可能に構成された基体１２１と、基体１２１に環囲された接点１２２とを有している。
【００１５】
具体的には、周辺機器は、ＨＤＤ（Hard Disk Drive）、メモリ、ライト、マウス、テンキーなどの各種機器であり、特に、オス端子が機器本体に固定されたタイプの各種機器である。
【００１６】
基体１２１は、筐体１１０の表面１１１に整合する端面１２３と、任意の部材に係合する係合部（例えばフック）１２４と、任意の部材に吸着する吸着部（例えばマグネット）１２５とを有し、係合部１２４及び吸着部１２５は、ＵＳＢ端子１２０を機器外部の任意の位置に取り付けるときに用いられるようになっている。
【００１７】
また、ＵＳＢ端子１２０は、基体１２１が凹部１１２に嵌合する嵌合態様（図４（ａ）参照）と、基体１２１が凹部１１２から離脱する離脱態様（図４（ｂ）参照）とに変位可能に設けられている。
【００１８】
また、筐体１１０には、ＵＳＢ端子１２０を着脱自在に保持する保持機構が設けられ、例えば、保持機構の釦１８０を押下することによりＵＳＢ端子１２０が筐体１１０から抜け出すようになっている。
【００１９】
上述した格納機構１７０は、ＵＳＢ端子１２０が嵌合態様に変位したときにケーブル１６０を巻き取るとともに、ＵＳＢ端子１２０が離脱態様に変位したときにケーブル１６０を伸長するようになっている。
【００２０】
このように構成されたＵＳＢ端子１２０は、嵌合態様に変位したときに筐体１１０に対して一体化することが可能になるとともに、離脱態様に変位したときに機器外部の任意の位置に配置することが可能になる。
【００２１】
また、ＵＳＢ端子１２０は、嵌合態様に変位したときに、接点１２２が一の方向に並列する一の位置（図５（ａ）参照）と、接点１２２が他の方向に並列する他の位置（図５（ｂ）参照）とに変向可能に設けられている。
【００２２】
なお、本実施形態では、ＵＳＢ端子１２０は、直方体状に形成され、一の位置と他の位置との間を９０°回転するように構成されているが、これに限らず、角柱状又は円柱状に形成され、一の位置と他の位置との間を任意の角度だけ回転するように構成されてもよい。
【００２３】
このように構成されたＵＳＢ端子１２０は、一の位置と他の位置とに変向することにより、ＵＳＢ端子１２０に接続された周辺機器を任意の角度に配置することが可能になる。
【００２４】
以上説明したように、本実施形態では、コンピュータ１００は、表面１１１と表面１１１に開口する凹部１１２とを有する筐体１１０と、筐体１１０の内部に収容された回路基板１５０と、基体１２１と基体１２１に環囲された接点１２２とを有するＵＳＢ端子１２０と、回路基板１５０とＵＳＢ端子１２０との間を電気的に接続するケーブル１６０とを備え、ＵＳＢ端子１２０は、基体１２１が凹部１１２に嵌合する嵌合態様と基体１２１が凹部１１２から離脱する離脱態様とに変位可能に設けられたことを特徴とする構成を有している。
【００２５】
この構成により、本実施形態では、ＵＳＢ端子１２０が嵌合態様と離脱態様とに変位するので、ＵＳＢ端子１２０を任意の位置に配置することができ、周辺機器の接続態様を多様化することができる。
【００２６】
また、本実施形態では、コンピュータ１００は、ケーブル１６０を筐体１１０の内部に格納する格納機構１７０を更に備えることを特徴とする構成を有している。
【００２７】
この構成により、本実施形態では、格納機構１７０がケーブル１６０を筐体１１０の内部に格納するので、コンピュータ１００に対して延長ケーブルを接続する必要がなくなり、ケーブル１６０を内蔵することができ、筐体１１０及びＵＳＢ端子１２０を一体化することができる。
【００２８】
また、本実施形態では、ＵＳＢ端子１２０は、嵌合態様に変位したときに、接点１２２が一の方向に並列する一の位置と接点１２２が他の方向に並列する他の位置とに変向可能に設けられたことを特徴とする構成を有している。
【００２９】
この構成により、本実施形態では、ＵＳＢ端子１２０が一の位置と他の位置とに変向するので、ＵＳＢ端子１２０に接続された周辺機器を任意の角度に配置することができ、作業性を向上させることができる。
【００３０】
また、本実施形態では、基体１２１は、表面１１１に整合する端面１２３を有することを特徴とする構成を有している。
【００３１】
この構成により、本実施形態では、端面１２３が表面１１１に整合するので、コンピュータ１００の美観を維持することができ、又は、ＵＳＢ端子１２０の損傷を防止することができる。
【００３２】
また、本実施形態では、基体１２１は、取り付け用の係合部１２４を有することを特徴とする構成を有している。
【００３３】
この構成により、本実施形態では、基体１２１が取り付け用の係合部１２４を有しているので、ＵＳＢ端子１２０を任意の位置に取り付けることができる。
【００３４】
また、本実施形態では、基体１２１は、取り付け用の吸着部１２５を有することを特徴とする構成を有している。
【００３５】
この構成により、本実施形態では、基体１２１が取り付け用の吸着部１２５を有しているので、ＵＳＢ端子１２０を任意の位置に取り付けることができる。
【００３６】
なお、本実施形態では、本願に係る電子機器を、デスクトップタイプのコンピュータに適用しているが、これに限らず、ノートブックタイプのコンピュータに適用してもよい。
【００３７】
また、本実施形態では、本願に係る電子機器を、デスクトップタイプのコンピュータに適用しているが、これに限らず、５インチベイ、３．５インチベイ又は拡張スロットに対して実装可能に設けられたユニット、ケーブル集積装置としてのハブ（HUB）などの周辺機器に適用してもよい。
【００３８】
また、本実施形態では、本願に係る電子機器を、デスクトップタイプのコンピュータに適用しているが、これに限らず、ＤＶＤ（Digital Versatile Disc）レコーダ、カーナビゲーションシステム、ＰＤＰ（Plasma Display Panel）を一例とする表示デバイスなどのＡＶ（Audio and Visual）機器に適用してもよい。
【００３９】
また、本実施形態では、本願に係るメス端子を、ＵＳＢ端子１２０に適用しているが、これに限らず、ＩＥＥＥ（Institute of Electrical and Electronic Engineers）１３９４端子、ＬＡＮ（Local Area Network）端子、モジュラ端子、電源端子などの各種端子に適用してもよい。
【００４０】
特に、本願に係るメス端子を電源端子に適用した場合には、本願に係る電子機器を、図６に示すように、建物の一部、例えば、壁面１９１に対して取り付け可能に設けられたコンセント１９０に適用することができる。
【００４１】
また、本実施形態では、本願に係る接続手段は、回路基板１５０とＵＳＢ端子１２０との間をケーブル１６０、即ち、有線によって電気的に接続するように構成されているが、これに限らず、回路基板１５０とＵＳＢ端子１２０との間を通信機器、即ち、無線によって電気的に接続するように構成されてもよい。
【図面の簡単な説明】
【００４２】
【図１】本願の一実施形態におけるコンピュータを示す正面図である。
【図２】本願の一実施形態におけるコンピュータの要部を示す断面図である。
【図３】本願の一実施形態におけるＵＳＢ端子を示す斜視図である。
【図４】本願の一実施形態におけるコンピュータの要部を示す斜視図であり、（ａ）は、嵌合態様のＵＳＢ端子、（ｂ）は、離脱態様のＵＳＢ端子を示している。
【図５】本願の一実施形態におけるコンピュータの要部を示す斜視図であり、（ａ）は、一の位置のＵＳＢ端子、（ｂ）は、他の位置のＵＳＢ端子を示している。
【図６】本願の一実施形態におけるコンセントを示す斜視図である。
【符号の説明】
【００４３】
１００  コンピュータ
１０１  ディスプレイ
１０２  キーボード
１１０  筐体
１１１  表面
１１２  凹部
１１３  大孔
１１４  小孔
１２０  ＵＳＢ端子
１２１  基体
１２２  接点
１２３  端面
１２４  係合部
１２５  吸着部
１３０  ＣＤドライブ
１４０  ＦＤドライブ
１５０  回路基板
１６０  ケーブル
１７０  格納機構
１８０  釦
１９０  コンセント
【図１】
2006139976.tif 000003
【図２】
2006139976.tif 000004
【図３】
2006139976.tif 000005
【図４】
2006139976.tif 000006
【図５】
2006139976.tif 000007
【図６】
2006139976.tif 000008